(57)【要約】【課題】防水扉の保管時に開口部を狭くしないようにした防水扉装置を提供する。【解決手段】一対のガイドレール２，２と、このガイドレール２，２間に介在の防水扉５と、この防水扉５の両端部５ａ，５ａのそれぞれに設けられ、前記ガイドレール２，２に挿入の２つのガイド車７，７とを備えている。そして、一対のガイドレール２，２は、床面より上方へ立ち上がる垂直部３０と、曲り部４０と水平部５０を有している。保管時には、防水扉５が上方で且つ水平方向に収納される。【選択図】        図１
2007239205.tif 000002
【特許請求の範囲】
【請求項１】
一対のガイドレールと、この一対のガイドレール間に介在の防水扉と、この防水扉の両端部のそれぞれに設けられ、前記ガイドレールに挿入の２つのガイド車を備えた防水扉装置において、
前記一対のガイドレールは、床面より上方へ立ち上げ、その上方ではほぼ水平方向に折り曲げられて構成され、保管時には防水扉を上方で水平方向に収納したことを特徴とする防水扉装置。
【請求項２】
前記防水扉は、その背面に固定のためのロックハンドルが設けられていることを特徴とする請求項１記載の防水扉装置。
【請求項３】
前記防水扉は、その背面に圧力を受ける圧力受け板を回動自在に取付けたことを特徴とする請求項１又は２記載の防水扉装置。
【請求項４】
前記複数の防水扉を用いる場合には、両扉間に連絡用の中柱を設けるようにしたことを特徴とする請求項１，２又は３記載の防水扉装置。
【発明の詳細な説明】
【技術分野】
【０００１】
この発明は、建物や構造物の出入口、地下駐車場等の出入口に設置され、高潮や洪水による浸水を防止するために用いる防水扉装置に関する。
【背景技術】
【０００２】
近年、異常気象等に拠る集水豪雨の多発により、建造物の地上階や地下に浸水被害が増大している。こうした理由から、防水扉の必要性が高くなってきている。従来の防水扉について、長方形状の扉を建物のある別の場所に保管しておいて、災害時に人が運び、出入口を装着する装置（特許文献１）や、利用する場所の床側に扉を埋め込み、災害時に扉を床から起立させて、出入口を塞ぐ装置（特許文献２）や、床に収める方法と同じく、利用する周囲の壁に扉を保持して、災害時に動かして、出入口を塞ぐ装置（特許文献３）もある。
【特許文献１】特開２００２−３０８７２
【特許文献２】特開２００２−９７８８５
【特許文献３】特開２００５−２００９９０
【０００３】
また、扉の両端をガイドレールに挟み、通常は扉を上吊りして保管し、災害時に下降させ、出入口を塞ぐ装置（特許文献４）もある。
【特許文献４】特開２００４−７６４０６
【発明の開示】
【発明が解決しようとする課題】
【０００４】
しかしながら、扉を収納するため、直線のガイドレールを利用して、単に扉を上昇させて保持させる機能である場合に、天井が低い建物での使用は、その開口部を狭くしてしまい利用しづらく、このために特許文献４では、防水扉７が複数に分割された分割扉（１１〜１４）となって、収納時には、重なり合って保管場所をとらないようにと考えられているが、構造が複雑化すると共に、耐圧性が弱くなる欠点を有していた。
【０００５】
そこで、この発明は、前述した特許文献４のような防水扉は耐圧性のみならず、複雑な構造からコスト高となる欠点を解消するため、一枚の板を用い、しかも、保管時に開口部を狭くさせないようにした防水扉装置を提供する。
【課題を解決するための手段】
【０００６】
この発明に係る防水扉装置は、一対のガイドレールと、この一対のガイドレール間に介在の防水扉と、この防水扉の両端部のそれぞれに設けられ、前記ガイドレールに挿入の２つのガイド車を備えた防水扉装置において、前記一対のガイドレールは、床面より上方へ立ち上げ、その上方ではほぼ水平方向に折り曲げられて構成され、保管時には防水扉を上方で水平方向に収納したことにある（請求項１）。これにより、防水扉は、一対のガイドレールに沿って移動し、保管時に前記ガイドレールの上方で水平方向部位に水平に収納されるようになる。このために、開口部を狭くすることにならないし、また、建物の天井の高さが低い場合でも、防水扉を水平方向に寝かせて収納することから、人が通行するに充分なる開口部の「高さ」を確保することができる。なお、一対のガイドレールの上方で水平部位は、水平もしくは水平に近い位置にあれば良い。
【０００７】
前記防水扉は、その背面に固定のためのロックハンドルが設けられている（請求項２）。そしてまた防水扉は、その背面に圧力を受ける受け板を回動自在に取付けることが、防水扉の横方向の長が長い場所には好ましい（請求項３）。さらに、開口部が横方向に広い場合には、複数の防水扉を設けるが、該防水扉間に連絡用の中柱を設けるようにしている（請求項４）。
【発明の効果】
【０００８】
以上のように、請求項１の発明によれば、防水扉は、保管時に上方でほぼ水平方向に収納されるため、建物の開口部特に縦方向寸法を狭くすることはない。
また、請求項３の発明によれば、防水扉が横方向に長い場合に圧力受け板が設けられることから、対水圧性が向上される。さらに請求項４の発明によれば、複数の防水扉が中柱を介して確実に設けられる。
【発明を実施するための最良の形態】
【０００９】
以下、この発明の実施例を図面にもとづいて説明する。
【実施例１】
【００１０】
図１，図２において、防水扉装置１の側面図及び正面図が示され、例えば建物に添って一対のガイドレール２が床面３より立ち上がって設けられ、上方に伸び、そして建物の天井近くでは、水平方向に折れ曲がっている。このガイドレール２は図３に示すように、断面がリップ溝形状を成し、下記する防水扉５のガイド車７が挿入されている。
【００１１】
防水扉５は、金属材料等により製造された長方形状の板で、下端面にゴム，樹脂等のシール材６が、その両端部５ａ，５ａに２つのガイド車７，７がそれぞれ取付けられている。このガイド車７，７は端部５ａ，５ａの長手方向両端に離れて設けられ、前記したガイドレール２に挿入されている。ガイド車７，７は、ガイドレール２がリップ溝形となっているため、移動中に外れることはない。このように、防水扉５は、ガイド車７，７により２点で支えられるために、防水扉５の上方への移動時に、垂直部３０から曲り部４０があっても越えて行くことができ、水平部５０に至る。
【００１２】
また、防水扉５の背面には、固定のためのロックハンドル９が設けられ、該ロックハンドル９は軸９ａを支点として回動するもので、その先端が下記する建物１０に固定されたベース枠１１に固定のハンドル受１２に係合して防水扉５は固定される。
【００１３】
１４は水密蔽鎖板で、ゴム，樹脂等で筒状に作られ、ベース枠１１に添って固定され、防水扉５が下方へ落下して作動時に、前記防水扉５の正面側両端の上下方向に接着のゴム板１５に接触して水密が図られる。１７は吊り上げ用滑車装置１９のワイヤーで、その一端が天井に固定の滑車に、他端が天井及び防水扉５に設けられた他の滑車を介してハンドルボックス１８に接続されている。
【００１４】
上述の構成において、図１，図２及び図３は、防水扉５が下方へ落下し、ハンドル９を回動して固定した状態を示している。これにより、シール材６が床面３に、ゴム板１５が水密蔽鎖板１４がそれぞれ接触して、防水扉５により雨水や海水の侵入が防がれる。
【００１５】
防水扉５の保管時は、ハンドル９を回動してロック状態を解除し、それからハンドルボックス１８を開けて回動し、ワイヤー１７を巻き上げ、もって防水扉５を吊り上げる。すると、防水扉５は移動し、垂直部３０から曲り部４０を経て水平部５０に至る。水平部５０に至ると防水扉５は寝かせた状態になり、床面３と収納した防水扉５までの距離を大きく取ることができ、建物であれば出入口の開口部を狭くすることがない。なお、一対のガイドレール２，２の取付時にあって、壁面の途中に障害物がある場合には、保管部となる水平部５０までの間の途中を折り曲げることも出来る。
【実施例２】
【００１６】
図４ａ，４ｂにおいて、防水扉５が横方向に長い場合には、水圧に耐えるための圧力受け板２０が防水扉５の背面に蝶番２１を介して回動自在に取付けられている。即ち、作用時に、圧力受け板２０を開いて用い、保管時には図４ｂのように折り畳んで防水扉５と共に保管する。
【実施例３】
【００１７】
図５乃至図７において、開口部が横方向に広い場合には、複数の防水扉５，５を用いた例が示されている。この例において、前記実施例１と同一構成の部分は同一符号を付して説明を省略した。したがって、この実施例３の特徴とする部分は、２つの防水扉５と防水扉５との間に連絡のための中柱２３が設けられていることにある。
【００１８】
この中柱２３は、上方及び下方に固定手段を有して建物の床面３や壁面２４に固定されるものであり、取外し自在の中柱２３は、適宜な寸法の介在部材２４を挟むようにして設けられた２枚のベース枠１１ａ，１１ａにより構成され、下端に床面３に固定する固定板２５が取付けられ、また上端にジョイントスリーブ２６が取付けられている。
【００１９】
この中柱２３には、構成するベース枠１１ａ，１１ａの外側に、前記防水扉５，５のガイド車７，７が挿入されるガイドレール２ａ，２ａがそれぞれ取付けられている。また、ベース枠１１ａ，１１ａに、その正面側に水密蔽鎖板１４，１４がそれぞれ取付けられている。
【００２０】
前記固定板２５は、床面３に埋設されている筒状ナット２７に、ゴム板２８を介在しながら、ボルト２９をねじ込んで結合される。また前記ジョイントスリーブ２６は、建物の壁面２４にボルト３１に固着の固定用の中柱２３ａに挿入されて固定される。なお、固定用の中柱２３ａは、一対のベース枠１１ｂ，１１ｂとその外側に取付けられるガイドレール２ｂ，２ｂとで構成されている。
【００２１】
上述の構成において、防水扉装置１を使用するには、防水扉５，５が上方の水平部５０に収納されているため、まず中柱２３を設置する。具体的には、ジョイントスリーブ２６を前記固定用の中柱２３ａに挿入し、しかる後に固定板２５をボルト２９により床面３に固定する。中柱２３が取付けられたら、ワイヤー１７を緩めて防水扉５，５を落下させ、図５に示すようにセットし、当然ながらロックハンドル９を動かしてロックする。このように中柱２３を用いることで開口部が広い場所にも適用できる。
【図面の簡単な説明】
【００２２】
【図１】この発明の実施例１の側面図である。
【図２】同上の背面図である。
【図３】防水扉が建物に固定された状態の一部切欠の拡大平面図である。
【図４】この発明の実施例２を示し、防水扉の背面に取付けられた圧力受け板で、図４ａは開いた状態（使用状態）を表し、図４ｂは閉じた状態（不使用状態）を表している。
【図５】この発明の実施例３を示し、防水扉を２枚用いた防水扉装置の背面図である。
【図６】図５のＡ−Ａ線の拡大断面図である。
【図７】同上の中柱の床面との結合状態を示す説明図である。
【符号の説明】
【００２３】
１    防水扉装置
２    ガイドレール
２ａ，２ｂ  ガイドレール
５    防水扉
７    ガイド車
９    ロックハンドル
１１  ベース枠
１２  ハンドル受
１４  水密蔽鎖板
１７  ワイヤー
２０  圧力受け板
２５  固定板
２９  ボルト
３０  垂直部
４０  曲り部
５０  水平部
【図１】
2007239205.tif 000003
【図２】
2007239205.tif 000004
【図３】
2007239205.tif 000005
【図４】
2007239205.tif 000006
【図５】
2007239205.tif 000007
【図６】
2007239205.tif 000008
【図７】
2007239205.tif 000009